(57)【要約】【課題】  本発明は、動画撮影時の操作部の操作抵抗による動画への影響を抑制することが可能な光学機器を提供することを目的とする。【解決手段】  操作部と、前記操作部の操作抵抗を変更するための抵抗変更部と、動画撮影時の前記操作部の操作抵抗が、静止画撮影時の前記操作部の操作抵抗よりも大きくなるように前記抵抗変更部を制御することが可能な制御部と、を備える、ことを特徴とする光学機器。【選択図】  図１
2019070777.tif 000002
【特許請求の範囲】
【請求項１】
操作部と、
前記操作部の操作抵抗を変更するための抵抗変更部と、
動画撮影時の前記操作部の操作抵抗が、静止画撮影時の前記操作部の操作抵抗よりも大きくなるように前記抵抗変更部を制御することが可能な制御部と、を備える、
ことを特徴とする光学機器。
【請求項２】
前記操作部は、第１のパラメータを変えるための第１の操作部として機能することが可能であるとともに、前記第１のパラメータとは異なる第２のパラメータを変えるための第２の操作部としても機能することが可能である、
ことを特徴とする請求項１に記載の光学機器。
【請求項３】
前記操作部は、前記第１の操作部として機能するか前記第２の操作部として機能するかを選択するための選択部による選択結果に基づいて前記第１の操作部あるいは前記第２の操作部として機能することが可能である、
ことを特徴とする請求項２に記載の光学機器。
【請求項４】
前記制御部は、前記選択部による選択結果に基づいて前記抵抗変更部を制御する、
ことを特徴とする請求項３に記載の光学機器。
【請求項５】
前記制御部は、前記選択部による選択がなされたのと同時あるいは前記選択がなされた後に、前記選択部による選択結果に基づいて前記抵抗変更部を制御する、
ことを特徴とする請求項４に記載の光学機器。
【請求項６】
前記制御部は、前記操作部が前記第１の操作部として機能する場合と前記操作部が前記第２の操作部として機能する場合のうち少なくとも一方の場合において、前記動画撮影時の前記操作部の操作抵抗が、前記静止画撮影時の前記操作部の操作抵抗よりも大きくなるように前記抵抗変更部を制御することが可能である、
ことを特徴とする請求項２乃至５のいずれか一項に記載の光学機器。
【請求項７】
前記第１のパラメータは、フォーカスレンズの位置、ズームレンズの位置、絞り値、シャッタースピードのいずれかであって、
前記第２のパラメータは、前記フォーカスレンズの位置、前記ズームレンズの位置、前記絞り値、前記シャッタースピードのうち前記第１のパラメータとは異なるいずれかである、
ことを特徴とする請求項２乃至６のいずれか一項に記載の光学機器。
【請求項８】
前記制御部は、前記操作部の操作抵抗の大きさを指定するための指定部による指定結果に基づいて前記抵抗変更部を制御する、
ことを特徴とする請求項１乃至７のいずれか一項に記載の光学機器。
【請求項９】
前記制御部は、前記指定部による指定結果に基づいて、前記動画撮影時及び前記静止画撮影時に前記抵抗変更部を制御する、
ことを特徴とする請求項８に記載の光学機器。
【請求項１０】
前記指定部による指定結果が、前記動画撮影時の前記操作部の操作抵抗が、前記静止画撮影時の前記操作部の操作抵抗よりも小さくなるような結果だった場合、前記制御部は、前記指定結果に依らずに前記動画撮影時の前記操作部の操作抵抗が、前記静止画撮影時の前記操作部の操作抵抗よりも大きくなるように前記抵抗変更部を制御する、
ことを特徴とする請求項９に記載の光学機器。
【請求項１１】
前記指定部による指定結果が、前記動画撮影時の前記操作部の操作抵抗が、前記静止画撮影時の前記操作部の操作抵抗よりも小さくなるような結果だった場合、前記制御部は、前記動画撮影時の前記操作部の操作抵抗が、前記静止画撮影時の前記操作部の操作抵抗よりも小さくなっていることを示す情報が表示部に表示されるように前記表示部を制御する、
ことを特徴とする請求項９に記載の光学機器。
【請求項１２】
前記制御部は、前記操作部が前記動画撮影時に前記第１の操作部として機能する場合の操作抵抗と、前記操作部が前記静止画撮影時に前記第１の操作部として機能する場合の操作抵抗と、を記憶している記憶部からの情報に基づいて前記抵抗変更部を制御する、
ことを特徴とする請求項２乃至１１のいずれか一項に記載の光学機器。
【請求項１３】
前記制御部は、前記操作部が前記動画撮影時に前記第２の操作部として機能する場合の操作抵抗と、前記操作部が前記静止画撮影時に前記第２の操作部として機能する場合の操作抵抗と、を記憶している前記記憶部からの情報に基づいて前記抵抗変更部を制御する、
ことを特徴とする請求項１２に記載の光学機器。
【請求項１４】
前記制御部は、前記操作部の操作抵抗の大きさを指定するための指定部による指定結果を記憶している前記記憶部からの情報に基づいて前記抵抗変更部を制御する、
ことを特徴とする請求項１２または１３に記載の光学機器。
【請求項１５】
前記抵抗変更部は、
駆動部と、
前記駆動部によって前記操作部に対する相対的な位置が変化するように移動することが可能な移動部と、
前記移動部に設けられ、前記操作部と接触することが可能な接触部と、
前記移動部の位置を検出するための位置検出部と、を備え、
前記接触部と前記操作部の位置関係によって前記操作抵抗が変化する、
ことを特徴とする請求項１乃至１４のいずれか一項に記載の光学機器。
【請求項１６】
前記光学機器は、撮像素子を保持するカメラ本体に対して着脱可能なアクセサリ装置である、
ことを特徴とする請求項１乃至１５のいずれか一項に記載の光学機器。
【請求項１７】
前記光学機器は、少なくとも一枚のレンズを備えるレンズ装置である、
ことを特徴とする請求項１６に記載の光学機器。
【請求項１８】
ズームレンズユニットの位置を変更するためのズームリングと、
フォーカスレンズユニットの位置を変更するためのフォーカスリングと、をさらに備え、
前記操作部は、前記ズームレンズユニットの位置を変更する機能及び前記フォーカスレンズユニットの位置を変更する機能とは異なる機能を実現可能な操作リングである、
ことを特徴とする請求項１７に記載の光学機器。
【請求項１９】
前記光学機器は、少なくとも一枚のレンズを備えるレンズ装置及び前記カメラ本体及びに装着可能なアダプタ装置である、
ことを特徴とする請求項１６に記載の光学機器。
【請求項２０】
前記光学機器は、
撮像素子を保持するカメラ本体と、
被写体からの光を前記撮像素子に導くためのレンズ装置と、を備える、
ことを特徴とする請求項１乃至１５のいずれか一項に記載の光学機器。
【発明の詳細な説明】
【技術分野】
【０００１】
本発明は、光学機器に関する。
【背景技術】
【０００２】
操作リングの操作抵抗（操作トルク）を変更することが可能な光学機器として、特許文献１に記載のデジタルカメラが知られている。特許文献１に記載のデジタルカメラにおいては、１つの操作リングにフォーカスリングとしての機能やズームリングとしての機能を割り当て可能であり、各機能を切り替えるためのモード切替も操作リングで行うことが可能である。さらに、モード切替の際や機能が割り当てられてから操作リングを操作する際にクリック感を発生させること、クリック感のある操作時の操作抵抗を変更することも可能である。
【先行技術文献】
【特許文献】
【０００３】
【特許文献１】特開２０１５−５２８００号公報
【発明の概要】
【発明が解決しようとする課題】
【０００４】
ここで動画撮影時に操作リングのトルクが軽すぎると、例えば再生途中で画角が急激に変化した動画になってしまうおそれがある。あるいは滑らかなズームインあるいはズームアウトが困難になってしまうおそれがある。しかしながら、特許文献１にはこのような動画撮影時の操作リングのトルクによる動画への影響を抑制するための構成は開示されていない。
【０００５】
そこで本発明は、動画撮影時の操作部の操作抵抗による動画への影響を抑制することが可能な光学機器を提供することを目的とする。
【課題を解決するための手段】
【０００６】
上記目的を達成するために、本発明の光学機器は、
操作部と、
前記操作部の操作抵抗を変更するための抵抗変更部と、
動画撮影時の前記操作部の操作抵抗が、静止画撮影時の前記操作部の操作抵抗よりも大きくなるように前記抵抗変更部を制御することが可能な制御部と、を備える、
ことを特徴とする。
【発明の効果】
【０００７】
本発明によれば、動画撮影時の操作部の操作抵抗による動画への影響を抑制することが可能な光学機器を提供することが可能となる。
【図面の簡単な説明】
【０００８】
【図１】第１実施例のレンズ装置１０１及びカメラ本体２０１のシステム構成図
【図２】操作トルク付与前の負荷調整部１１７の構成図
【図３】操作トルク付与後の負荷調整部１１７の構成図
【図４】操作トルク調整モード中の液晶表示部２０７を示す図
【図５】操作トルク調整モード中の液晶表示部２０７を示す図
【図６】第１実施例の変形例のレンズ装置１０１の外願図
【図７】第２実施例におけるレンズ装置１０１の外願図
【図８】第３実施例のレンズ装置１０１、アダプタ装置４００及びカメラ本体２０１のシステム構成図
【発明を実施するための形態】
【０００９】
以下に、本発明の実施例を添付の図面に基づいて説明する。
【００１０】
〔第１実施例〕
図１を参照して本実施例における光学機器であるレンズ装置１０１及びカメラ本体２０１のシステム構成について説明する。
【００１１】
（レンズ装置１０１の構成）
レンズ装置１０１は、ズームレンズユニット１０２、フォーカスレンズユニット１０３、絞りユニット１０４、像振れ補正レンズユニット１０５、そして、固定レンズユニット１０６を備えている。レンズ装置１０１は更に操作部としての操作リング１１６、記憶部１２１、振動検出部としてのジャイロセンサ１０７、後述の各駆動源や負荷調整部（抵抗変更部）１１７などを制御するための制御部としてのレンズ側メインＣＰＵ１０８を備えている。
【００１２】
レンズ側メインＣＰＵ１０８から絞り駆動源１１０、フォーカスレンズ駆動源１１１、ズームレンズ駆動源１２２へ指示を出し、フォーカスレンズユニット１０３、絞りユニット１０４、ズームレンズユニット１０２の駆動を行う。また、レンズ側メインＣＰＵ１０８からの指示によって負荷調整部１１７は操作リング１１６の操作抵抗（操作トルク）を変更することができる。
【００１３】
レンズ装置１０１はマウント１１２を介してカメラ本体２０１に着脱可能に固定され、レンズ装置１０１内の光学部材を通して被写体からの光をカメラ本体２０１に保持されている撮像素子２０２上に結像することで被写体の撮像を行う。つまり、レンズ装置１０１はカメラ本体２０１に装着可能なアクセサリ装置であるとともに、少なくとも一枚のレンズを備えるレンズ装置でもある。
【００１４】
（カメラ本体２０１の構成）
カメラ本体２０１は撮像素子２０２を保持し、制御部としてのカメラ側メインＣＰＵ２０３、レリーズボタン２０４、主電源２０５、画像記録用メディア２０６、表示部としての液晶表示部２０７を備えている。カメラ本体２０１は更に操作ダイヤル２０８、操作スイッチ２０９、ファインダー２１０、記憶部２１１、撮影モード切替部２１２を備えている。撮影モード切替部２１２は動画撮影モードと静止画撮影モードを切り替えることが可能なモード切替部である。
【００１５】
レリーズボタン２０４は２段押しの構成になっており、１段目をＳＷ１とし、２段目をＳＷ２とする。ＳＷ１が押されると、撮影スタンバイからの復帰や、手ぶれ補正開始、オートフォーカスの開始、測光の開始などの撮影開始準備が行われる。ＳＷ２が押されると撮影を行い画像記録用メディア２０６への画像の記録指示を行う。
【００１６】
前述の操作リング１１６には複数の機能を割り当てることが可能である。言い換えれば、操作リング１１６は、第１のパラメータを変えるための第１の操作部として機能することが可能であるとともに、第１のパラメータとは異なる第２のパラメータを変えるための第２の操作部としても機能することが可能である。さらに言い換えれば、操作リング１１６は複数の機能を実現可能である。
【００１７】
操作リング１１６に第１の操作部として機能させるか、あるいは第２の操作部として機能させるかを選択するためにカメラ本体２０１に前述の操作ダイヤル２０８及び操作スイッチ２０９が設けられている。操作ダイヤル２０８を回転させることで操作リング１１６に割り当てる機能を選択し、操作スイッチ２０９を押下することで、操作リング１１６に割り当てる機能を操作ダイヤル２０８で選択した機能に決定することができる。つまり、操作ダイヤル２０８及び操作スイッチ２０９は、操作リング１１６が前１の操作部として機能するか第２の操作部として機能するかを選択するための選択部である。そして、操作リング１１６は、選択部による選択結果に基づいて第１の操作部あるいは第２の操作部として機能することが可能である。ただし、カメラ本体２０１は、操作ダイヤル２０８と操作スイッチ２０９の一方だけでも選択部として機能するような構成であってもよい。
【００１８】
操作リング１１６には、ズームレンズユニット１０２の位置を変更するためのズームリングとしての機能、フォーカスレンズユニット１０３の位置を変更するためのフォーカスリングとしての機能を割り当てることが可能である。更に絞りユニット１０４の開口径を変更するための絞りリングとしての機能も操作リング１１６に割り当てることが可能である。
【００１９】
操作リング１１６には上記のレンズ装置１０１側の光学部材を駆動させるためのリングとしての機能以外にも、シャッタースピードなどのカメラ本体２０１側の設定を変更するためのリングとしての機能も割り当てることが可能である。
【００２０】
操作リング１１６は不図示の回転検出部が設けられており、ユーザーが操作リング１１６を回転操作することで回転検出部の出力に応じた信号がレンズ側メインＣＰＵ１０８に送信される。その結果、レンズ側メインＣＰＵ１０８は操作リング１１６の操作量を把握することができ、把握した操作量に基づいて各駆動源を制御してユーザーが所望した調整を実現することができる。
【００２１】
なお、マウント１１２に設けられた不図示の接点ブロックを介して、カメラ側メインＣＰＵ２０３とレンズ側メインＣＰＵ１０８との間の通信や、カメラ本体２０１からレンズ装置１０１への電力の供給を行うことができる。
【００２２】
（抵抗変更部の構成）
次に図２及び図３を用いて負荷調整部１１７の構成について説明する。図２は後述の弾性部１１７ｄが操作リング１１６に接触していないときの負荷調整部１１７を示す図であり、図３は弾性部１１７が操作リング１１６に接触しているときの負荷調整部１１７を示す図である。
【００２３】
図２及び図３に示すように負荷調整部１１７は、接触部としての弾性部１１７ｄ、移動部としてのベース部１１７ａ、連結部１１７ｃ、駆動部としてのモータ１１８、領域判別部としての切替スイッチ１１９、凸部１１９ａを備えている。
【００２４】
ベース部１１７ａは連結部１１７ｃを介して、レンズ装置１０１に固定されたモータ１１８とメカ的に連結しているために、モータ１１８からの駆動力によってベース部１１７ａは光軸方向に沿って移動することができる。つまり、ベース部１１７ａは操作リング１１６に対する相対的な位置が変化するように移動することが可能な移動部である。
【００２５】
モータ１１８と連結部１１７ｃの連結構造は、単純なギア連結や、ラックとピニオンの組み合わせなどのモータ１１８からの駆動力をベース部１１７ａに伝達することのできる構造であればよい。また、負荷調整部１１７とモータ１１８をビス等で結合し、レンズ装置１０１側にモータ１１８が備える部材と係合するギアを設けた構成であってもよい。この構成では負荷調整部１１７とモータ１１８が一体となってレンズ装置１０１及び操作リング１１６に対して移動可能となる。
【００２６】
切り欠き部１１７ｂは領域判別部（位置検出部）である切替スイッチ１１９の凸部１１９ａを挟み込んでいる。このため、モータ１１８によって負荷調整部１１７が移動すると、凸部１１９ａも移動して切替スイッチ１１９が切り替えられるため負荷調整部１１７の位置を検出することができる。なお、負荷調整部１１７の位置を検出するための構成は、ベース部１１７ａに磁気を帯びた部品を固定し、切替スイッチ１１９の代わりに磁気センサを配置し、非接触でベース部材１１７ａの位置を検出する構成であってもよい。
【００２７】
弾性部１１７ｄはゴムなどの弾性変形可能な素材で出来た部品である。図３に示すように操作リング１１６の端面に弾性部１１７ｄがチャージされる、つまり操作リング１１６に押し当てられることで摩擦力を発生させ、操作リング１１６の操作トルクを変化させる。言い換えれば、弾性部１１７ｄと操作リング１１６の位置関係によって操作リング１１６の操作トルクが変化する。このように、本実施例では弾性部１１７ｄを操作リング１１６に対して、非接触状態とチャージ状態の２つの状態で操作トルクを調整している。しかしながら、弾性部１１７ｄのチャージ量を調節することで複数の操作トルクを選択可能な構成あるいは操作トルクを連続的に変更することができる構成であってもよい。
【００２８】
上記のように本実施例では、弾性部１１７ｄと操作リング１１６の接触状態を調整することで操作トルクを変更している。しかしながら、負荷調整部として、操作リング１１６と振動子の接触状態を調整する、より具体的には振動子が発揮する押圧力を調整して操作トルクを変更する構成を採用してもよい。図２及び図３に示す負荷調整部１１７はこのような振動子を用いた構成と比較して、振動子に対して通電し続けるとともにその通電量を制御する必要がないため、消費電力をより少なくすることができる。より具体的には、図２及び図３に示す負荷調整部１１７は弾性部１１７を操作リング１１６に押し当てて操作トルクを調整したあとはモータ１１８に対して通電する必要がないため、消費電力をより少なくすることができる。
【００２９】
（動画撮影時と静止画撮影時の操作トルクについて）
本実施例において、レンズ側メインＣＰＵ１０８は、動画撮影時の操作リング１１６の操作トルク（操作抵抗）が、静止画撮影時の操作リング１１６の操作トルクよりも大きくなるように負荷調整部１１７を制御することが可能である。
【００３０】
例えば、動画撮影中に映像効果として滑らかなズームインあるいはズームアウトを行おうとした場合に、操作リング１１６の操作トルクが軽すぎると、画角が急減に変化してしまって動画に滑らかなズームインあるいはズームアウトを付与することが困難になる。逆に静止画撮影時に操作リング１１６の操作トルクが重すぎると、シャッターチャンスを逃してしまうおそれがある。そこで本実施例では、レンズ側メインＣＰＵ１０８を、動画撮影時の操作リング１１６の操作（操作抵抗）が、静止画撮影時の操作リング１１６の操作トルクよりも大きくなるように負荷調整部１１７を制御することが可能なように構成している。このような構成によって滑らかなズームイン及びズームアウトが容易となり、かつシャッターチャンスを逃しにくくなる。つまり、本実施例によれば、動画撮影時の操作部の操作抵抗による動画への影響を抑制することが可能となる。
【００３１】
ここでいう動画撮影時とはカメラ本体２０１が動画撮影モードであって録画が開始されてから録画が終了するまでの期間のことをいい、静止画撮影時とはカメラ本体２０１が静止画撮影モードである期間のことをいう。カメラ本体２０１が動画撮影モードであって録画が開始されるまでの期間を動画撮影準備時とする。このとき、素早く動画撮影を開始できるようにするために、レンズ側メインＣＰＵ１０８を、動画撮影準備時には、操作リング１１６の操作トルクを動画撮影時の操作トルクよりも小さくなるように負荷調整部１１７を制御することが可能なように構成すればよい。
【００３２】
本実施例において、操作リング１１６の操作トルクの初期設定は図４に示す設定になっている。ここでいう初期設定とはレンズ装置１０１あるいはカメラ本体２０１の工場出荷時の設定あるいは、レンズ装置１０１あるいはカメラ本体２０１にて初期化動作を行った場合の設定である。図４はカメラ本体２０１の操作ダイヤル２０８などを用いて操作トルク調整モードを選択した場合に液晶表示部２０７に表示される情報を示している。図４において３００はズーム操作、フォーカス操作などの各操作の操作トルクの大きさを示すメモリであり、３０１は各操作において現在設定されている操作トルクを示す指標である。
【００３３】
図４に示すように初期設定では、ズーム操作、フォーカス操作、絞り操作、シャッタースピード操作の各操作において動画撮影時の操作トルクである動画トルクの方が静止画撮影時の操作トルクである静止画トルクよりも大きくなっている。メモリ３００は、指標３０１が数値０に近いほど操作トルクが小さいことを意味し、数値１００に近いほど操作トルクが大きいことを意味している。
【００３４】
図４に示す操作トルク調整モードでは、後述の操作トルクの調整に加えて操作リング１１６に割り当てる機能の選択もすることができる。操作トルク調整モードにおいて操作ダイヤル２０８を回転させると、現在操作リング１１６に割り当てる機能を示す枠３０２が移動する。
【００３５】
図４においては初期設定で枠３０２によってズーム操作が選択されており、この状態で操作スイッチ２０９を押すと、ズーム操作の動画トルクを調整するモードへ移行する。この状態で操作ダイヤル２０８を回転させると指標３０１がメモリ３００上を移動してズーム操作の動画トルクを調整することができる。ズーム操作の動画トルクを調整した後に再び操作スイッチ２０９を押すと、ズーム操作の静止画トルクを調整するモードへ移行する。この状態で操作ダイヤル２０８を回転させると指標３０１がメモリ３００上を移動してズーム操作の静止画トルクを調整することができる。つまり、操作ダイヤル２０８及び操作スイッチ２０９は前述の選択部としての機能に加えて、操作リング１１６の操作トルクの大きさを指定するための指定部としての機能を兼ね備えている。
【００３６】
ズーム操作の静止画トルクを調整した後に再び操作スイッチ２０９を押し、操作ダイヤル２０８を回転させると再び枠３０２が移動し、操作リング１１６に割り当てる機能を選択することができる。
【００３７】
なお、操作ダイヤル２０８を回転させて枠３０２を移動させることで操作リング１１６に割り当てる機能を選択する際に、以下に述べるような処理をカメラ本体２０１が行ってもよい。すなわち、枠３０２がいずれかの機能を選択済みの状態で例えば操作スイッチ２０９を所定時間以上長押しすると前述の操作トルクを調整するモードには移行せずに、操作リング１１６に割り当てる機能が決まってもよい。どの機能を操作リング１１６に割り当てるかどうかが決定したら、その情報をカメラ側メインＣＰＵ２０３からレンズ側メインＣＰＵ１０８へ送信し、レンズ装置１０１側で操作リング１１６が選択された機能を実現できるように各種設定を行う。
【００３８】
（動画トルクと静止画トルクの大小関係を維持するための制御について）
前述の動画トルクあるいは静止画トルクの調整の際に、図５に示すように、ユーザーによって動画撮影時の操作リング１１６の操作トルクが、静止画撮影時の操作リング１１６の操作トルクよりも小さくなるような設定が行われたとする。このような設定が行われると、前述のように滑らかなズームイン及びズームアウトが困難になったり、シャッターチャンスを逃してしまったりするおそれがある。
【００３９】
そこで本実施例では、ユーザーによって上記の設定が行われた場合には、動画撮影時の操作リング１１６の操作トルクが、静止画撮影時の操作リング１１６の操作トルクよりも小さくなっていることを示す情報を液晶表示部２０７に表示する。具体的には、上記の設定が行われた場合には、液晶表示部２０７に設定された動画トルクが静止画トルクよりも小さい。このため、動画トルクを大きくする操作を促すための矢印３０３と、現在設定されている静止画トルクよりも大きい動画トルクとなる位置（目標位置）を示す指標３０４を表示する。このような情報を液晶表示部２０７に表示することで、動画撮影時の操作リング１１６の操作トルクが小さすぎる状態で動画撮影が行われているしまうことを抑制することができる。
【００４０】
なお、上記の矢印３０３及び指標３０４を表示された後にユーザーによって操作トルクの調整がなされなかった場合には、動画撮影時の操作リング１１６の操作トルクが、静止画撮影時の操作リング１１６の操作トルクよりも小さくなるような設定としてもよい。あるいは、上記の矢印３０３及び指標３０４を表示された後は、動画撮影時の操作リング１１６の操作トルクが、静止画撮影時の操作リング１１６の操作トルクよりも大きくなるような設定がされない限り、撮影が行えないような設定としてもよい。
【００４１】
また、ユーザーによって動画撮影時の操作リング１１６の操作トルクが、静止画撮影時の操作リング１１６の操作トルクよりも小さくなるような設定が行われた場合、自動的に操作トルクが調整されるような設定であってもよい。具体的には、上記の設定が行われた場合、設定された静止画トルクよりも動画トルクの方が大きくなるようにレンズ側メインＣＰＵ１０８が負荷調整部１１７を制御してもよい。
【００４２】
なお、図４においては静止画撮影時のズーム操作の操作トルクとフォーカス操作の操作トルクが同じ値に設定されているが、これとは異なる設定を行ってもよい。例えば、静止画撮影時あるいは動画撮影時にズーム操作の操作トルクよりもフォーカス操作の操作トルクの方が大きくなるような設定を行ってもよい。この場合、画角変化を素早く行い、フォーカシングを重たい操作トルクで微調整しながら行うことができる。
【００４３】
（設定された機能及び操作トルクの記憶について）
レンズ装置１０１側の記憶部１２１とカメラ本体２０１側の記憶部２１１の少なくとも一方は、ユーザーが設定した図４に示す各種操作における動画トルク及び静止画トルクの調整結果を記憶することができる。動画トルク及び静止画トルクの調整結果を記憶することは、例えば、ズーム操作の動画トルクを調整した際のベース部材１１７ａの位置あるいは、その位置における切替スイッチ１１９の出力値を記憶することと置き換えて考えてもよい。
【００４４】
ユーザーが操作リング１１６に割り当てる機能をズーム操作からフォーカス操作に変更したとする。このとき、機能が変更されたことを示す情報と、変更後の機能における設定済みの動画トルクと静止画トルクに関する情報がカメラ側メインＣＰＵ２０３からレンズ側メインＣＰＵ１０８へ送られる。そして、レンズ側メインＣＰＵ１０８は受け取った情報を基に負荷調整部１１７を制御し、設定済みの動画トルクあるいは静止画トルクを再現する。つまり、レンズ側メインＣＰＵ１０８は、選択部による選択結果に基づいて負荷調整部１１７を制御する。また、レンズ側メインＣＰＵ１０８は、指定部による指定結果、あるいは指定結果を記憶している記憶部からの情報に基づいて負荷調整部１１７を制御するともいえる。これによって、操作リング１１６の機能変更と操作トルク調整の双方を短時間で終えることができる。
【００４５】
（変形例）
図６を用いて本実施例の変形例について説明する。
【００４６】
図１に示したように本実施例におけるレンズ装置１０１はユーザーが操作可能なレンズ装置１０１側の部材として操作リング１１６しかなかった。これに対して図６に示す変形例においては、ユーザーが操作可能なレンズ装置１０１側の部材として操作リング１１６以外に、ズーム操作リング１１４、フォーカス操作リング１１５もレンズ装置１０１に設けられている。
【００４７】
ズーム操作リング１１４はマニュアルズーム用の操作部材、フォーカス操作リング１１５はマニュアルフォーカス用の操作部材である。操作リング１１６は前述のように、様々な機能が割当て可能な操作部材となっている。図６に示す変形例においては、ズーム操作リング１１４は不図示の連結部品を介してズームレンズユニット１０２を光軸方向に移動させることでズーム動作をマニュアルで行うことができる。フォーカス操作リング１１５はレンズ鏡筒１０１内部の部品とはメカ的な連結はしておらず、操作された際の回転検出値をレンズ側メインＣＰＵ１０８に出力することで、フォーカスレンズユニット１０３を駆動させるための操作部材となっている。
【００４８】
本変形例においても、レンズ側メインＣＰＵ１０８は、動画撮影時の操作リング１１６の操作トルク（操作抵抗）が、静止画撮影時の操作リング１１６の操作トルクよりも大きくなるように負荷調整部１１７を制御することが可能である。したがって、本変形例も前述の第１実施例と同様の効果を得ることができる。
【００４９】
なお、本変形例において、操作リング１１６にズーム操作リング及びフォーカス操作リング以外の機能しか割り当てられないような設定にしてもよいし、操作リング１１６にズーム操作リング及びフォーカス操作リングの機能を割り当てられる設定にしてもよい。
【００５０】
〔第２実施例〕
図７を用いて本発明の第２実施例について説明する。
【００５１】
前述の第１実施例と本実施例との違いは、操作リング１１６に割り当てる機能を変更するための手段にある。具体的には前述の第１実施例においてはカメラ本体２０１に設けられた操作ダイヤル２０８及び操作スイッチ２０９を用いて操作リング１１６に割り当てる機能を変更することができた。これに対して本実施例においては、図７に示すようにレンズ装置１０１の外周部に設けられたプッシュスイッチ１２０を用いて操作リング１１６に割り当てる機能を変更することができる。
【００５２】
ユーザーがプッシュスイッチ１２０を押したことは不図示の検出部によって検出される。この検出部によってプッシュスイッチ１２０が押されたことを検出されると、検出部はその旨をレンズ側メインＣＰＵ１０８に送信し、操作リング１１６の操作機能変更と操作トルクの調整を同時に行う。
【００５３】
起動時に操作リング１１６に割り当てられる初期機能と、初期機能からプッシュスイッチ１２０を押すたびにどの順番で機能が変化するのかは変更不可能であってもよいし、カメラ本体２０１側で変更可能としてもよい。また、設定済みの各操作における動画トルク及び静止画トルクは前述の第１実施例と同様に記憶部に記憶させておけば、プッシュスイッチ１２０を押してから短時間で操作リング１１６に割り当てる機能の変更と操作トルクの変更の双方を終えることができる。
【００５４】
本実施例においてはレンズ装置１０１側で操作リング１１６に割り当てる機能の変更及び操作トルクの変更を行うことができるため、ファインダー２１０を覗いたまま機能及び操作トルクの変更を行うことができる。ファインダー２１０内に変更先の機能や操作トルクを表示することで、ユーザーが機能変更を行われたことを認識することができるようにしてもよい。
【００５５】
以上の構成を用いることで、レンズ装置１０１側からも操作リング１１６の機能及び操作トルクの変更をすることができ、さらなる操作性の向上を実現することができる。
【００５６】
〔第３実施例〕
図８を用いて本発明の第３実施例について説明する。
【００５７】
前述の第１実施例と異なり、本実施例においてはレンズ装置１０１に操作リング１１６及び負荷調整部１１７は設けられていない。その代わりにレンズ装置１０１とカメラ本体２０１の間に設けられた光学機器としてのアダプタ装置４００に、操作リング１１６と同様の機能を有する操作リング４０１と、負荷調整部１１７と同様の機能を有する負荷調整部４０２が設けられている。アダプタ装置４００にはアダプタ側メインＣＰＵ４０３も設けられている。
【００５８】
本実施例で示すアダプタ装置４００を用いることで、レンズ装置１０１側の操作リングが操作トルクを調整できない場合であってもレンズ装置１０１側の操作リングの機能を操作リング４０１に割り当てることができる。そして、操作リング４０１の操作トルクを負荷調整部４０２によって前述の第１実施例と同様に調整すればよい。その結果、レンズ装置１０１側の操作リングが操作トルクを調整できない場合であってもアダプタ装置４００を用いることで、動画撮影時の操作トルクと静止画撮影時の操作トルクを適切に設定することができる。
【００５９】
〔変形例〕
以上、本発明の好ましい実施形態について説明したが、本発明はこれらの実施形態に限定されず、その要旨の範囲内で種々の変形及び変更が可能である。
【００６０】
例えば、前述の操作リング１１６及び操作リング４００は３６０度回転可能な端を有さない電子リングである。しかしながら、操作リング１１６あるいは４００が所定の角度回転すると負荷調整部によって操作トルクが増加して擬似的な端を作り出す設定を行ってもよい。
【００６１】
また、前述の操作リング１１６及び４００にクリック感を付与する機構をレンズ装置１０１に新たに設けてもよい。絞り操作機能やシャッタースピード操作機能が操作リング１１６及び４００に割り当てられた際にクリック感を付与する機構であってもよい。
【００６２】
また、前述の操作リング１１６及び４００にはズーム操作リング、フォーカス操作リング、絞りリング、シャッタースピードリングとしての機能以外に、ＩＳＯ感度を変える機能なども割り当てることが可能であってもよい。
【００６３】
また、図５に示す矢印３０３及び目標位置３０４を表示する代わりに、液晶表示部２０７に動画撮影時の操作トルクが静止画撮影時の操作トルクよりも小さくなるような設定がなされたことを示すメッセージを表示してもよい。
【符号の説明】
【００６４】
１０１  レンズ装置（光学機器）
１０８  レンズ側メインＣＰＵ（制御部）
１１６  操作リング（操作部）
１１７  負荷調整部（抵抗変更部）
【図１】
2019070777.tif 000003
【図２】
2019070777.tif 000004
【図３】
2019070777.tif 000005
【図４】
2019070777.tif 000006
【図５】
2019070777.tif 000007
【図６】
2019070777.tif 000008
【図７】
2019070777.tif 000009
【図８】
2019070777.tif 000010